【手続補正書】
【提出日】平成24年7月10日(2012.7.10)
【手続補正１】
【補正対象書類名】特許請求の範囲
【補正対象項目名】全文
【補正方法】変更
【補正の内容】
【特許請求の範囲】
【請求項１】
機器の動作条件を変更させる条件変更装置において、
画像が表示される表示部と、
上記表示部に設けられたタッチパネルと、
上記タッチパネルへの入力操作を検出する検出部と、
上記入力操作の態様に基づき、変更される条件の種類を設定する変更条件設定部と、
設定された上記変更条件の種類に応じて、当該変更条件の具体的なパラメータを設定するための操作補助画像を上記表示部の画面に表示させる操作画像表示部と、
上記操作補助画像が表示される画面に対する入力操作に基づき、当該変更条件のパラメータを変更するパラメータ変更部と、
を備えることを特徴とする条件変更装置。
【請求項２】
上記変更条件設定部は、上記入力操作の態様として、上記タッチパネルに同時に入力される数が１箇所かあるいは複数個所に応じて、変更条件の種類を設定することを特徴とする請求項１に記載の条件変更装置。
【請求項３】
上記変更条件設定部は、上記入力操作の態様として、上記タッチパネルに同時に入力される数が１箇所かあるいは複数個所に応じて、上記変更条件の種類を切り換えて設定し、
上記操作画像表示部は、１箇所操作の場合には、上記画面で操作された指側に上記操作補助画像を表示させ、複数箇所操作の場合には、上記画面の両側に上記操作補助画像を表示させる、
ことを特徴とする請求項１に記載の条件変更装置。
【請求項４】
上記変更条件設定部は、上記入力操作の態様として、上記タッチパネルに対する複数箇所同時操作があった場合に、さらに回動操作が開始されたか否かで上記動作条件の種類を切り換えて設定し、
上記操作画像表示部は、回動操作が開始された場合には、上記画面に周状のオブジェクトを上記操作補助画像として表示させる、
ことを特徴とする請求項１に記載の条件変更装置。
【請求項５】
上記変更条件設定部は、上記入力操作の態様が回動操作を含む場合に、当該回動操作の径の大小に応じて、上記動作条件の種類を切り換えて設定し、
上記操作画像表示部は、当該回動操作の径の目安となるような２重の周状のオブジェクトを上記操作補助画像として表示させる、
ことを特徴とする請求項１に記載の条件変更装置。
【請求項６】
上記変更条件設定部は、上記入力操作の態様が回動操作を含む場合に、上記画面の当該回動操作の中心位置に応じて、上記動作条件の種類を切り換えて設定し、
上記操作画像表示部は、当該回動操作に係わる指の位置に応じて上記操作補助画像を表示させる、
ことを特徴とする請求項１に記載の条件変更装置。
【請求項７】
上記パラメータ変更部は、上記回動操作によってパラメータを変更し、上記画面での当該回動操作によって描かれる円の径に応じて、上記変更するパラメータの量を切り換えることを特徴とする請求項６に記載の条件変更装置。
【請求項８】
請求項１乃至７に記載される条件変更装置が搭載され、
上記タッチパネルが筺体の背面に設けられ、
上記変更条件設定部は、上記変更条件として撮影条件を設定し、
上記操作画像表示部は、上記操作補助画像をライブビュー画像に重畳して表示させる、
ことを特徴とするカメラ。
【請求項９】
請求項１乃至７のいずれか１項に記載される条件変更装置が搭載されたことを特徴とする携帯機器。
【請求項１０】
画像が表示される表示部と、上記表示部に設けられるタッチパネルを備える機器で、その動作条件を変更させる処理をコンピュータに実行させるプログラムにおいて、
上記タッチパネルへの入力操作を検出するステップと、
上記入力操作の態様に基づき、変更される条件の種類を設定するステップと、
設定された上記変更条件の種類に応じて、当該変更条件の具体的なパラメータを設定するための操作補助画像を上記表示部の画面に表示させるステップと、
上記操作補助画像が表示される画面に対する入力操作に基づき、当該変更条件のパラメータを変更するステップと、
を備えることを特徴とするプログラム。
【手続補正２】
【補正対象書類名】明細書
【補正対象項目名】００１０
【補正方法】変更
【補正の内容】
【００１０】
第３の発明に係わる条件変更装置は、上記第１の発明において、上記変更条件設定部は、上記入力操作の態様として、上記タッチパネルに同時に入力される数が１箇所かあるいは複数個所に応じて、上記変更条件の種類を切り換えて設定し、上記操作画像表示部は、１箇所操作の場合には、上記画面で操作された指側に上記操作補助画像を表示させ、複数箇所操作の場合には、上記画面の両側に上記操作補助画像を表示させる。
【手続補正３】
【補正対象書類名】明細書
【補正対象項目名】００１１
【補正方法】変更
【補正の内容】
【００１１】
第４の発明に係わる条件変更装置は、上記第１の発明において、上記変更条件設定部は、上記入力操作の態様として、上記タッチパネルに対する複数箇所同時操作があった場合に、さらに回動操作が開始されたか否かで上記動作条件の種類を切り換えて設定し、上記操作画像表示部は、回動操作が開始された場合には、上記画面に周状のオブジェクトを上記操作補助画像として表示させる。
【手続補正４】
【補正対象書類名】明細書
【補正対象項目名】００１８
【補正方法】変更
【補正の内容】
【００１８】
【図１】本発明の第１実施形態に係わるデジタルカメラの構成を示すブロック図である。
【図２】本発明の第１実施形態におけるデジタルカメラにおいて、タッチパネルの構成を示す断面図である。
【図３】本発明の第１実施形態に係わるデジタルカメラにおいて、画面をタッチすることにより露出補正を行う様子を示す図である。
【図４】本発明の第１実施形態に係わるデジタルカメラにおいて、画面をタッチすることによりズーミングを行う様子を示す図である。
【図５】本発明の第１実施形態に係わるデジタルカメラにおいて、画面をタッチすることにより絞り値またはシャッタ速度の変更を行う様子を示す図である。
【図６】本発明の第１実施形態に係わるデジタルカメラのカメラ制御の動作を示すフローチャートである。
【図７】本発明の第１実施形態に係わるデジタルカメラの変更条件設定の動作を示すフローチャートである。
【図８】本発明の第１実施形態に係わるデジタルカメラの露出補正変更設定の動作を示すフローチャートである。
【図９】本発明の第１実施形態に係わるデジタルカメラのズーム変更設定の動作を示すフローチャートである。
【図１０】本発明の第１実施形態に係わるデジタルカメラの絞り／ＳＳ変更設定の動作を示すフローチャートである。
【図１１】本発明の第２実施形態に係わるデジタルカメラの変更条件設定の動作を示すフローチャートである。
【図１２】本発明の第３実施形態に係わるデジタルカメラにおいて、画面を回動することにより条件を入力する様子を示す図である。
【図１３】本発明の第３実施形態に係わるデジタルカメラの変更条件設定の動作を示すフローチャートである。
【図１４】本発明の第４実施形態に係わるデジタルカメラにおいて、画面を両指でタッチする位置により入力条件を変更する様子を示す図である。
【図１５】本発明の第４実施形態に係わるデジタルカメラにおいて、画面を両手でタッチした場合の指の間隔に応じてリングの径を変更する様子を示す図である。
【図１６】本発明の第４実施形態に係わるデジタルカメラの変更条件設定の動作を示すフローチャートである。
【手続補正５】
【補正対象書類名】明細書
【補正対象項目名】００２８
【補正方法】変更
【補正の内容】
【００２８】
タッチパネル１３は、表示部１６と一体、または表示部１６の前面に配置され、ユーザの指等が直接接触または接近したことを検出し、検出結果をタッチ検出部１１ａに出力する。タッチパネルとしては、抵抗膜方式、静電容量方式、光電センサ方式等、種々の方式のものがあり、いずれかの方式を採用すれば良い。なお、光電センサ方式を採用したタッチパネルについて、図２を用いて後述する。
【手続補正６】
【補正対象書類名】明細書
【補正対象項目名】００２９
【補正方法】変更
【補正の内容】
【００２９】
操作部１４は、ボタン操作部、レリーズ釦、パワースイッチ、再生釦、あるいはモード切替釦等の各種操作釦、操作ダイヤル、操作キー等であり、ユーザがモードやパラメータ等を設定するための操作部材である。
【手続補正７】
【補正対象書類名】明細書
【補正対象項目名】００３０
【補正方法】変更
【補正の内容】
【００３０】
制御部１１はバス２６に接続されており、このバス２６には、撮像部２０、画像処理部２１、圧縮伸張部２２、記録再生部２３、通信部２５が接続されている。撮像部２０は、被写体像を結像させるための撮影レンズ、被写体像を画像データに変換するための撮像素子、およびこれらの処理回路、撮影レンズの光路中に介挿された絞りおよびシャッタ等を含む。撮像部２０によって生成された画像データはバス２６に出力される。
【手続補正８】
【補正対象書類名】明細書
【補正対象項目名】００３５
【補正方法】変更
【補正の内容】
【００３５】
さらに、ユーザの指９０がタッチパネル１３に近づくと、図２（ｂ）に示すように、バックライト１０２からの照射光１０６ａが、指９０によって反射され、光センサ１０４によって検出される。光センサ１０４の検出結果は、タッチ検出部１１ａに送出され、いずれの光センサ１０４が指９０からの反射光を検出したかによって、指のタッチ位置を検出し、またタッチ位置の時系列的変化に基づいて指の動きを検出することができる。
【手続補正９】
【補正対象書類名】明細書
【補正対象項目名】００５２
【補正方法】変更
【補正の内容】
【００５２】
図５（ｂ）に示すように、ユーザが左手の指でＡＶアイコン６２ｂをタッチしたことを、タッチ検出部１１ａが検出し、これをパラメータ変更部１１ｄに通知すると、パラメータ変更部１１ｄは、変更条件として絞り変更を設定する。次に、ユーザが右手の指でスライドバー６２ｃに沿って上側にスライド操作したことをタッチ検出部１１ａが検出し、これをパラメータ変更部１１ｄに通知すると、パラメータ変更部１１ｄは、絞り値として、例えば、Ｆ２．８を設定する。この設定された絞り値は、画面５０内の絞り／ＳＳ表示部６２ｄに表示される。パラメータ変更部１１ｄにおいて設定された絞り値は、パラメータ制御部１１ｅに通知され、パラメータ制御部１１ｅの指示によって、撮像部２０の絞りが、Ｆ２．８に変更される。
【手続補正１０】
【補正対象書類名】図面
【補正対象項目名】図１６
【補正方法】変更
【補正の内容】
【図１６】
2011028345.tif 000001